(57)【要約】【課題】  ユーザ使用状態において、ネットワーク接続の切断の影響を少なくでき、待機状態において、低消費電力化が可能な投射型表示装置を提供すること。【解決手段】  外部機器と通信可能な通信手段を備えた投射型表示装置であって、光源を制御する光源制御手段と、前記投射型表示装置を制御する制御手段を備え、前記制御手段は、前記光源の状態を変更する際に、前記通信手段の設定を変更することを特徴とする構成とした。【選択図】  図１
2016167709.tif 000002
【特許請求の範囲】
【請求項１】
外部機器と通信可能な通信手段を備えた投射型表示装置であって、
光源を制御する光源制御手段と、
前記投射型表示装置を制御する制御手段を備え、
前記制御手段は、前記光源の状態を変更する際に、前記通信手段の設定を変更する
ことを特徴とする投射型表示装置。
【請求項２】
前記光源を点灯させるとき、前記通信手段の通信速度の設定を、前記光源が消灯している場合に設定されている通信速度の設定より高くすることを特徴とする請求項１に記載の投射型表示装置。
【請求項３】
前記光源を消灯させるとき、前記通信手段の通信速度の設定を、前記光源が点灯している場合に設定されている通信速度の設定より低くすることを特徴とする請求項１に記載の投射型表示装置。
【請求項４】
前記光源を消灯させるとき、前記通信手段を低消費電力で通信可能な設定に変更することを特徴とする請求項１に記載の投射型表示装置。
【発明の詳細な説明】
【技術分野】
【０００１】
本発明は、投射型表示装置に関し、特にネットワーク制御可能な投射型表示装置に関するものである。
【背景技術】
【０００２】
ネットワーク技術の進歩に伴い、ネットワーク経由で機器を制御したり、動画などのデータを送受信したりすることが可能になっている。また、ネットワークの通信速度も高速化している。一般的に、ネットワーク処理部の消費電力は、通信速度に比例して大きくなる。
【０００３】
動画など大容量のデータを送受信する場合、ネットワークの通信速度を高速に設定することで、スムーズにデータを送受信することができる。一方、機器制御コマンドなどはデータ容量が比較的小さいため、通信速度が低速でも、十分にデータを送受信することができる。この時、ネットワークの通信速度が高速に設定されていると、無駄な電力を消費してしまう。
【０００４】
従来の電力削減技術として、異なる通信速度に対応可能なネットワーク機器において、ネットワーク機器の待機時に、ネットワーク機器の通信速度を低速に切り替えて、待機状態の消費電力を低減する方法がある。しかし、ネットワーク機器の通信速度を切り替えるためには、ネットワーク接続を切断する必要があり、その間、データの送受信ができないという問題があった。
【０００５】
上記を鑑みて、特許文献１では、ネットワーク機器との通信速度を通常は低速モードに設定し、ネットワークあるいは操作部からの通信要求を受けた場合に、通信速度の設定を高速モードに変更することで、待機時の消費電力を低減する方法が開示されている。
【０００６】
また、特許文献２には、ストリーム受信に最適化したタイミングで回線速度の切り替えを行うことにより、映像乱れを起こすことなく消費電力を抑制する方法が開示されている。
【先行技術文献】
【特許文献】
【０００７】
【特許文献１】特開２００４−６４３３５号公報
【特許文献２】特開２０１１−１９１５０号公報
【発明の概要】
【発明が解決しようとする課題】
【０００８】
しかしながら、上述の特許文献に開示された従来技術では、ユーザが使用している状態でネットワークの通信速度を変更している。通常、ネットワークの通信速度を変更する際は、一旦ネットワークの接続を切断し、ネットワークの通信速度の変更が完了したことを確認するなど、再度、ネットワークの通信設定、接続処理が必要となる。従来技術では、ユーザが使用している状態にも関わらず、ネットワークの接続を切断する処理などを行っていたので、一定期間、ネットワーク通信をすることができない課題があった。
【０００９】
そこで、本発明の目的は、ユーザ使用状態において、ネットワーク接続の切断の影響を少なくでき、待機状態において、低消費電力化が可能な投射型表示装置を提供することである。
【課題を解決するための手段】
【００１０】
上記目的を達成するために、本発明は、外部機器と通信可能な通信手段を備えた投射型表示装置であって、光源を制御する光源制御手段と、前記投射型表示装置を制御する制御手段を備え、前記制御手段は、前記光源の状態を変更する際に、前記通信手段の設定を変更することを特徴とする。
【発明の効果】
【００１１】
本発明によれば、ユーザ使用状態において、ネットワーク接続の切断の影響を少なくでき、待機状態において、低消費電力化が可能な投射型表示装置を提供することができる。
【図面の簡単な説明】
【００１２】
【図１】本発明の投射型表示装置のブロック図
【図２】本発明のフローチャート
【発明を実施するための形態】
【００１３】
以下に、本発明の好ましい実施の形態を、添付の図面に基づいて詳細に説明する。図１は、本発明の実施形態に係わる投射型表示装置である。
【実施例１】
【００１４】
以下、図１、図２を参照して、本発明の実施例による投射型表示装置について説明する。
【００１５】
図１は、本発明の投射型表示装置のブロック図である。投射型表示装置１０１と、外部機器としてのＰＣ（Ｐｅａｓｏｎａｌ  Ｃｏｍｐｕｔｅｒ）１０２が、ＬＡＮ（Ｌｏｃａｌ  Ａｒｅａ  Ｎｅｔｗｏｒｋ）１０３により通信可能に接続されている。本実施例では、有線で接続されているが、無線で接続することもできる。
【００１６】
投射型表示装置１０１は、光源部２０１と、光源制御部２０２と、冷却部２０３と、制御部２０４と、電源部２０５と、ネットワーク処理部２０６、を備えている。
【００１７】
光源部２０１から出射した光は、不図示のパネル照明光学系により不図示の液晶パネルに導かれ、光変調素される。光変調された光は不図示の投射レンズにより不図示のスクリーンなどに投射され、画像を表示する。
【００１８】
光源制御部２０２は、光源２０１の点灯、消灯制御や、光源２０１への電力を制御する。
【００１９】
冷却部２０３は、冷却ファンなどにより、光源部２０１及び光源制御部２０２などを冷却する。
【００２０】
電源部２０５は、制御部２０４からの制御信号に基づき各部への電源供給を行う。
【００２１】
ネットワーク処理部２０６は、制御部２０４の制御信号に基づき、ＰＣ１０２との通信に必要な設定、投射型表示装置１０１を制御する制御コマンドの受信、投射型表示装置１０１の状態を通知、画像データの受信などを行うことができる。
【００２２】
次に、図２のフローチャートを用いて、本実施例の投射型表示装置の制御部の動作を説明する。
【００２３】
ステップ（図にはＳと記す。）３０１は、投射型表示装置が画像を投射していない待機状態である。この待機状態では、ネットワーク処理部の通信速度は、設定可能な範囲内において低い速度、に設定されている。
【００２４】
通常、ネットワーク処理部の通信速度を低速に設定すると、消費電力が低くなる。待機状態においては、制御コマンドなど、低速でも十分な通信データが送受信されるため、無駄な電力を消費することがない。次に、ステップ３０２へ遷移する。
【００２５】
ステップ３０２は、ユーザによる不図示の操作パネルの操作や、ＰＣからの制御コマンドなどにより、投射開始の指示を待つ。投射開始の指示があると、ステップ３０３へ遷移する。
【００２６】
ステップ３０３は、制御部が光源制御部を制御し、光源を点灯させる。また、あわせてネットワーク処理部の通信速度を、設定可能な範囲内において高い速度、に設定する。これは、光源点灯処理の間、光源の点灯に伴い発生するパルスノイズ等の影響により、ネットワーク通信が正常に行えないことがある。従って、この実質的にネットワーク通信をすることができない期間を利用し、ネットワーク処理部の通信速度を変更する。光源の点灯が完了すると、ステップ３０４に遷移する。
【００２７】
ステップ３０４は、光源の点灯が完了したので、画像を投射する。このとき、ネットワーク処理部の通信速度は高速に切り替わっているので、動画データなど、通信データが大きい場合でも、円滑にデータの送受信を行うことができる。
【００２８】
ステップ３０５は、ユーザによる不図示の操作パネルの操作や、ＰＣからの制御コマンドや監視コマンドなどにより、待機状態への移行の指示を待つ。待機状態への移行の指示があると、ステップ３０６へ遷移する。
【００２９】
ステップ３０６は、制御部が光源制御部を制御し、光源を消灯させる。また、あわせてネットワーク処理部の通信速度を、設定可能な範囲内において低い速度、に設定する。さらに、光源の消灯後、一定期間、冷却動作を継続することもある。このように、投射型表示装置の状態遷移に合わせて、すなわち、ユーザ使用状態でないときに、ネットワーク処理部の通信速度を変更する。光源の消灯が完了すると、ステップ３０１に遷移する。先に説明したように、待機状態において、ネットワーク処理部の通信速度は設定可能な範囲内において低い速度、に設定されている。従って、ネットワーク処理部の消費電力を低くすることができる。
【００３０】
以上説明したように、光源の状態に応じて、ネットワーク処理部の設定を変更することで、ユーザが使用する状態のときに、通信速度の設定を変更することがないため、通信速度の設定を変更するための待ち時間なく、通信することができる。また、待機状態に状態遷移するときに、すなわち、ユーザが使用しない状態のときに、通信速度の設定を変更することで、待機状態のネットワーク処理部の消費電力を低減することができる。
【００３１】
以上、好ましい実施形態について説明したが、本発明はこれらの実施形態に限定されず、その要旨の範囲内で種々の変形及び変更が可能である。例えば、ネットワーク処理部の設定の速度を、高速、低速と切り替えたが、ユーザが事前に設定した通信速度などに設定しても良い。また、ネットワーク処理部の設定の速度を切り替えたが、通常消費電力モードと低消費電力モードなど消費電力の異なる動作モードを切り替えるなど、通信速度以外の設定を変更しても良い。
【符号の説明】
【００３２】
１０１  投射型表示装置
１０２  ＰＣ
１０３  ＬＡＮ
２０１  光源部
２０２  光源制御部
２０３  冷却部
２０４  制御部
２０５  電源部
２０６  ネットワーク処理部
【図１】
2016167709.tif 000003
【図２】
2016167709.tif 000004